(57)【要約】【課題】生ごみ内に粉砕困難物が混入していた場合であっても、刃の破損や装置の運転停止を招きにくい粉砕機を提供する。【解決手段】粉砕機１は、生ごみが投入される投入筒と、投入筒の下部に接続されたケーシング２８とを備えている。ケーシング２８の内部には、駆動モータ３６によって回転駆動される円板３１が収容されている。円板３１には、周方向に沿って９０度毎に配置された４枚の回転刃４１が固定されている。ケーシング２８は、円板３１と対向する天板を備えている。天板には、回転刃４１と対向する楕円環状の固定刃４２が固定されている。円板３１が回転すると、回転刃４１は周回移動し、回転刃４１と固定刃４２との交差角度θは連続的に変化する。【選択図】  図２
2006122818.tif 000002
【特許請求の範囲】
【請求項１】
生ごみが投入される投入口と投入された生ごみを導出する導出口とが形成された筒状体と、
前記導出口に対向し且つ水平面に対して傾斜又は直交する対向面を有する対向板と、
前記対向面に設けられた第１粉砕刃と、
前記第１粉砕刃に対向して配置され、前記導入口の開口方向から見て前記第１粉砕刃と交差する第２粉砕刃と、
前記対向面と平行な面内において前記第１粉砕刃と前記第２粉砕刃とを相対回転させる回転機構と、を備え、
前記第１粉砕刃及び前記第２粉砕刃の少なくとも一方は、環状に形成され、
前記第１粉砕刃及び前記第２粉砕刃は、相対回転に伴って互いの交差角度が変化するように形成されている粉砕機。
【請求項２】
前記第１粉砕刃及び前記第２粉砕刃の少なくとも一方は、楕円環状に形成されている、請求項１に記載の粉砕機。
【請求項３】
前記筒状体は、鉛直方向に延び、
前記対向板は、水平面に対して傾斜している、請求項１又は２に記載の粉砕機。
【請求項４】
前記投入口は、前記筒状体の一端に形成され、
前記筒状体は、水平面に対して傾斜する方向に延びている、請求項１又は２に記載の粉砕機。
【請求項５】
前記導出口は、前記筒状体の一端に形成され、
前記筒状体の一端には、前記導出口に対応する開口が形成された天板と、前記天板に対向する底板と、一端が前記天板に覆われ且つ他端が前記底板に覆われ、前記筒状体よりも内径の大きな円筒からなる胴部とを有するケーシングが接続され、
前記第１粉砕刃は、前記天板に固定され、
前記対向板及び前記第２粉砕刃は、前記ケーシング内に収容され、
前記回転機構は、前記対向板を回転させる、請求項１〜４のいずれか一つに記載の粉砕機。
【請求項６】
前記ケーシング内において、前記対向板の回転に従って周回する前記第２粉砕刃の外側に配置され、前記第２粉砕刃の周回移動に際して前記第２粉砕刃の外側端とすれちがう内側端を有する補助刃を備えた、請求項５に記載の粉砕機。
【請求項７】
前記対向板と前記底板との間には隙間が形成され、
前記対向板における前記底板に対向する面に固定された補助板を備えた、請求項５又は６に記載の粉砕機。
【請求項８】
前記対向板に固定され且つ前記筒状体側に延び、前記筒状体内の生ごみを攪拌する攪拌部材を備えた、請求項５〜７のいずれか一つに記載の粉砕機。
【請求項９】
前記筒状体の前記投入口を開閉自在に覆う蓋と、
前記蓋の開閉状態を検知する開閉検出器と、
前記開閉検出器により前記蓋が開いていることが検知されると、前記回転機構の動作を停止させる制御装置と、
を備えた請求項１〜８のいずれか一つに記載の粉砕機。
【発明の詳細な説明】
【技術分野】
【０００１】
本発明は、粉砕機に関するものである。
【背景技術】
【０００２】
従来から、例えば野菜、果物、魚介類、食品残滓等からなる生ごみを粉砕する粉砕機が知られている。生ごみの処理等に際して、事前に粉砕機によって生ごみを粉砕することにより、生ごみを減容化することができ、生ごみの貯蔵性を向上させることができる。また、生ごみは微細化されることによって熱が伝わりやすくなるので、生ごみの乾燥に際して、乾燥の効率を向上させることができる。さらに、生ごみの分解効率を高めることができ、堆肥化の効率を向上させることができる。
【０００３】
粉砕機として、円周状に分散して配置された複数の固定刃と、固定刃の内側を周回する回転刃とを備えた粉砕機が知られている（例えば、特許文献１参照）。図９に示すように、特許文献１に開示された粉砕機は、生ごみが投入される円筒体１００と、円筒体１００の下端部に設けられた回転板１０１と、円筒体１００の内周面に沿って配置された複数の固定刃１０２と、回転板１０１に固定された複数の回転刃１０３とを備えている。
【０００４】
回転刃１０３は回転板１０１に従って回転し、固定刃１０２の内側を通過する。この際、回転刃１０３の径方向の外側端１０３ａと固定刃１０２の内側端１０２ａとの間で生ごみが剪断される。上記粉砕機では、このような剪断が繰り返されることにより、生ごみが連続的に粉砕される。
【特許文献１】特開２００１−１７９１２１号公報
【発明の開示】
【発明が解決しようとする課題】
【０００５】
しかしながら、上記粉砕機には、投入された生ごみ内に粉砕困難物（例えば、金属製のスプーンやフォーク、食器又はおもちゃ等）が混入していた場合に、固定刃１０２と回転刃１０３との間に粉砕困難物がかみ込まれ、両刃１０２，１０３の破損を招く場合があった。また、固定刃１０２と回転刃１０３との間に粉砕困難物が挟まり、回転刃１０３が動かなくなって運転が停止する場合があった。
【０００６】
本発明は、かかる点に鑑みてなされたものであり、その目的とするところは、生ごみ内に粉砕困難物が混入していた場合であっても、刃の破損や装置の運転停止を招きにくい粉砕機を提供することにある。
【課題を解決するための手段】
【０００７】
本発明に係る粉砕機は、生ごみが投入される投入口と投入された生ごみを導出する導出口とが形成された筒状体と、前記導出口に対向し且つ水平面に対して傾斜又は直交する対向面を有する対向板と、前記対向面に設けられた第１粉砕刃と、前記第１粉砕刃に対向して配置され、前記導入口の開口方向から見て前記第１粉砕刃と交差する第２粉砕刃と、前記対向面と平行な面内において前記第１粉砕刃と前記第２粉砕刃とを相対回転させる回転機構と、を備え、前記第１粉砕刃及び前記第２粉砕刃の少なくとも一方は、環状に形成され、前記第１粉砕刃及び前記第２粉砕刃は、相対回転に伴って互いの交差角度が変化するように形成されているものである。
【０００８】
上記粉砕機によれば、第１粉砕刃と第２粉砕刃とは相対回転し、互いの交差角度が変化するように交差する。そのため、生ごみは、第１粉砕刃と第２粉砕刃との交差部分において、効果的に粉砕される。ここで、第１粉砕刃及び第２粉砕刃の少なくとも一方は環状に形成されている。そのため、第１粉砕刃と第２粉砕刃とは、常に交差している。したがって、第１粉砕刃と第２粉砕刃とが断続的に交差する場合と異なり、粉砕困難物が両刃の間にかみ込まれるおそれはない。それゆえ、生ごみ内に粉砕困難物が混入していたとしても、刃の破損は生じにくい。また、粉砕機の運転停止は起こりにくい。
【０００９】
前記第１粉砕刃及び前記第２粉砕刃の少なくとも一方は、楕円環状に形成されていることが好ましい。
【００１０】
このことにより、生ごみは円滑に粉砕される。
【００１１】
前記筒状体は、鉛直方向に延び、前記対向板は、水平面に対して傾斜していることが好ましい。
【００１２】
このように筒状体が鉛直方向に延びていることにより、投入口から筒状体内に投入された生ごみは、重力によって導入口に円滑に導かれる。また、対向板が水平面に対して傾斜していることにより、導出口を通じて対向板に導かれた生ごみは、第１粉砕刃及び第２粉砕刃によって粉砕されつつ、重力を受けることにより対向面に沿って円滑に排出される。
【００１３】
前記投入口は、前記筒状体の一端に形成され、前記筒状体は、水平面に対して傾斜する方向に延びていてもよい。
【００１４】
このことにより、筒状体に対して生ごみを投入しやすくなる。
【００１５】
前記導出口は、前記筒状体の一端に形成され、前記筒状体の一端には、前記導出口に対応する開口が形成された天板と、前記天板に対向する底板と、一端が前記天板に覆われ且つ他端が前記底板に覆われ、前記筒状体よりも内径の大きな円筒からなる胴部とを有するケーシングが接続され、前記第１粉砕刃は、前記天板に固定され、前記対向板及び前記第２粉砕刃は、前記ケーシング内に収容され、前記回転機構は、前記対向板を回転させるものであってもよい。
【００１６】
このことにより、第１粉砕刃は固定刃となり、第２粉砕刃は対向板と共に回転する回転刃となり、粉砕困難物のかみ込みが防止されると共に、生ごみが効果的に粉砕される。
【００１７】
前記ケーシング内において、前記対向板の回転に従って周回する前記第２粉砕刃の外側に配置され、前記第２粉砕刃の周回移動に際して前記第２粉砕刃の外側端とすれちがう内側端を有する補助刃を備えていることが好ましい。
【００１８】
このことにより、第１粉砕刃と第２粉砕刃とによって粉砕された生ごみは、更に第２粉砕刃と補助刃とによって剪断され、微細化される。
【００１９】
前記対向板と前記底板との間には隙間が形成され、前記対向板における前記底板に対向する面に固定された補助板を備えていることが好ましい。
【００２０】
このことにより、第１粉砕刃と第２粉砕刃とによって粉砕された生ごみは、更に、対向板の裏側において補助板により粉砕され、微細化される。
【００２１】
前記対向板に固定され且つ前記筒状体側に延び、前記筒状体内の生ごみを攪拌する攪拌部材を備えていることが好ましい。
【００２２】
このことにより、筒状体内における生ごみの閉塞が防止される。
【００２３】
前記粉砕機は、前記筒状体の前記投入口を開閉自在に覆う蓋と、前記蓋の開閉状態を検知する開閉検出器と、前記開閉検出器により前記蓋が開いていることが検知されると、前記回転機構の動作を停止させる制御装置と、を備えていることが好ましい。
【００２４】
このことにより、蓋の開閉状態に基づく各種の制御が可能となる。例えば、運転中に蓋が開かれると、運転を強制的に中止すること等により、粉砕機の安全性を向上させることができる。
【発明の効果】
【００２５】
以上のように、本発明によれば、投入された生ごみに粉砕困難物が混入していた場合であっても、粉砕困難物が粉砕刃の間にかみ込まれることがないので、粉砕刃の破損を未然に防止することができる。また、粉砕機の運転停止を招きにくいので、粉砕機を長時間連続運転させることが可能となる。
【発明を実施するための最良の形態】
【００２６】
以下、本発明の実施形態を図面に基づいて詳細に説明する。
【００２７】
＜実施形態１＞
図１に示すように、粉砕機１は、生ごみが投入される投入部２と、投入された生ごみを粉砕する粉砕部３と、粉砕した生ごみを排出する排出部４とを備えている。
【００２８】
投入部２は、投入筒１１と、投入筒１１の上部開口１１ｅを開閉自在に塞ぐ蓋１２とを備えている。投入筒１１は、鉛直方向に延びる円筒１１ａと、円筒１１ａの上端に設けられた漏斗状のテーパ筒１１ｂと、円筒１１ａの下端に設けられた傾斜筒１１ｃとから構成されている。蓋１２は、テーパ筒１１ｂの上部に取り付けられている。なお、蓋１２には、レバー１３が取り付けられている。テーパ筒１１ｂには径方向の外側に突出する係止ピン１１ｄが設けられ、レバー１３には係止ピン１１ｄと係合するリング１４が取り付けられている。このリング１４が係止ピン１１ｄと係合することにより、蓋１２は閉じた状態でロックされる。
【００２９】
テーパ筒１１ｂの上部開口１１ｅの周りには、蓋１２の開閉状態を検知するセンサ１５が設けられている。開閉状態を検知するセンサ１５には、任意のセンサを用いることができる。ここでは、センサ１５は、蓋１２との接触状態に基づいて開閉状態を検知するリミットスイッチによって形成されている。
【００３０】
前述したように、本実施形態では、円筒１１ａは鉛直方向に延びており、投入筒１１は全体として鉛直方向に延びている。ただし、投入筒１１の下端部の傾斜筒１１ｃは、円筒１１ａから屈曲しており、鉛直方向から傾斜した方向に延びている。投入筒１１の上部開口１１ｅは水平面と平行であるが、下部開口１１ｆは水平面から傾斜している。すなわち、投入筒１１の下側は、水平面から傾斜した傾斜面Ｓ１で切断されたような形状に形成されている。したがって、投入筒１１の下端の周縁は、楕円形状になっている。
【００３１】
傾斜筒１１ｃの下部開口１１ｆの周縁は径方向外側に延びており、フランジ状の天板２１を形成している。天板２１には、ボルト２２及びナット２３により、下部ケーシング２０が取り付けられている。下部ケーシング２０は、天板２１と平行に配置され且つ天板２１に対向する底板２４と、底板２４の外周部から天板２１に向かって起立した円筒状の胴部２５と、胴部２５の外周部から径方向外側に延びるフランジ部２６とからなっており、フランジ部２６と天板２１とがボルト２２等により固定されている。
【００３２】
下部ケーシング２０の内部には、天板２１と底板２４と胴部２５とにより区画された略密閉空間からなる粉砕室２７（図２参照）が形成されている。すなわち、投入筒１１の下端部には、天板２１、底板２４及び胴部２５からなるケーシング２８が設けられ、このケーシング２８の内部に粉砕室２７が区画形成されている。なお、投入筒１１の下端部は傾斜しているので、ケーシング２８も傾斜した状態になっている。
【００３３】
天板２１には、投入筒１１の下部開口１１ｆに対応した開口２９が形成されており、下部開口１１ｆと開口２９とは上下に連続している。したがって、投入筒１１に投入された生ごみは、下部開口１１ｆ及び開口２９を通じて粉砕室２７に流入する。なお、胴部２５の内径は、投入筒１１の内径よりも大きくなっている。
【００３４】
図３に示すように、底板２４の中心部には、底板２４を上下に貫く回転軸３２が配置されている。回転軸３２の下端部には、スプロケット３３が取り付けられている。ケーシング２８には、側方に延びるアングル３７が固定されている。アングル３７には、駆動モータ３６が支持されている。駆動モータ３６の回転軸３８にはスプロケット３５が取り付けられている。このスプロケット３５とスプロケット３３とには、駆動チェーン３４が巻き掛けられている。
【００３５】
ケーシング２８の内部には、回転軸３２に支持された円板３１が配置されている。したがって、駆動モータ３６が回転すると、円板３１はケーシング２８内で回転する。
【００３６】
回転軸３２の先端側には、投入筒１１の内部の生ごみを攪拌する攪拌部材が取り付けられている。ここでは、攪拌部材は、回転軸３２に直交する棒状部材５５によって形成されている（図４参照）。ただし、攪拌部材の形状や寸法等は何ら限定されず、他の攪拌部材を用いることも勿論可能である。例えば図５に示すように、攪拌部材として、略Ｖ字型の羽根状部材５５を用いてもよい。
【００３７】
図３に示すように、円板３１の外径はケーシング２８の内径とほぼ等しい。厳密には、円板３１の外径はケーシング２８の内径よりも若干小さく設定されている。
【００３８】
円板３１の上側の面は、投入筒１１の下部開口１１ｆに対向する対向面となっている。図２に示すように、この対向面には、４枚の回転刃４１がネジ等によって固定されている。各回転刃４１は、断面形状が矩形状の細長い板状体からなっている。回転刃４１は、円板３１の周方向に沿って９０度毎に配置され、隣り合う回転刃４１同士は、互いに直交する方向に延びている。各回転刃４１は、円板３１の半径からずれた位置において、半径と平行に配置されている。
【００３９】
また、天板２１には、開口２９の周縁に沿って周回配置された固定刃４２が、ねじ等によって取り付けられている。本実施形態では、開口２９は楕円形状であるので、固定刃４２は楕円環状に形成されている。固定刃４２は、断面形状が矩形状の板状に形成されている。図３に示すように、固定刃４２は、若干の隙間を存して回転刃４１と対向しており、開口２９の開口方向（この方向はケーシング２８の軸方向でもある）からみて、回転刃４１と固定刃４２とは交差している。
【００４０】
図２に示すように、固定刃４２には切れ目がないので、円板３１の回転位置に拘わらず、回転刃４１と固定刃４２とは常に交差している。また、固定刃４２は楕円環状に形成されているので、回転刃４１と固定刃４２との交差角度θは、円板３１の回転にしたがって連続的に変化する。
【００４１】
さらに、ケーシング２８の内周面には、周方向に沿って分散配置された４枚の固定刃４３が取り付けられている。固定刃４３は、回転刃４１の外側端の回転軌跡Ｍよりも外側に配置され、回転刃４１と固定刃４３とが接触しないように、固定刃４３の内側端と回転刃４１の外側端との間には若干の隙間が形成されている。図３に示すように、固定刃４３の厚みは回転刃４１の厚みよりも大きくなっている。したがって、円板３１の回転にしたがって、回転刃４１は固定刃４３の横をすれ違い、回転刃４１の外側端と固定刃４３の内側端とは、瞬間的に横方向に隣り合うことになる。
【００４２】
回転刃４１及び固定刃４２，４３は、工具鋼（例えばダイス鋼等）で形成されている。ただし、回転刃４１及び固定刃４２，４３の材料は、特に限定されない。回転刃４１及び固定刃４２，４３は他の金属材料から形成されていてもよく、あるいは非金属材料からなっていてもよい。
【００４３】
回転刃４１及び固定刃４３の枚数は、特に限定されない。また、固定刃４２は、複数設けられていてもよい。回転刃４１及び固定刃４２の形状は、それらが常に交差している限り、何ら限定されない。固定刃４２の代わりに、回転刃４１が楕円環状に形成されていてもよい。また、回転刃４１及び固定刃４２の双方を円環状（楕円環状を含む）に形成することも可能である。
【００４４】
図３に示すように、円板３１の裏側面（対向面と反対の面）には、円板３１の中心から放射状に延びる複数の補助板４４が固定されている。補助板４４は、円板３１の回転にしたがって回転し、円板３１の裏側に入り込んだ生ごみを、遠心力によって排出口５１（図１参照）に押し出す。また、補助板４４は、生ごみをケーシング２８の内周面又は底面とのすれ違いにより剪断する。
【００４５】
図１に示すように、排出口５１は、傾斜しているケーシング２８の胴部２５の側面における最も下側の部分に形成されている。そのため、ケーシング２８内の生ごみは、重力を受けて排出口５１側に移動し、排出口５１から斜め下方に向かって円滑に排出される。なお、排出口５１の外側には、排出管５２が配置されている。これら排出口５１及び排出管５２により、排出部４が形成されている。
【００４６】
なお、粉砕機１には、蓋１２が開かれているときにモータ３６の運転を強制停止するコントローラ６０が設けられている。
【００４７】
次に、粉砕機１の動作について説明する。
【００４８】
まず、利用者が蓋１２を開き、上部開口１１ｅから生ごみを投入する。すると、投入された生ごみは、投入筒１１を通じて、粉砕室２７（ケーシング２８の内部）に導入される。
【００４９】
次に、利用者は蓋１２を閉じ、粉砕機１の運転スイッチ（図示せず）をＯＮする。なお、誤って蓋１２を開いた状態のまま運転スイッチをＯＮした場合には、駆動モータ３６の運転はコントローラ６０によって阻止される。したがって、蓋１２が開いた状態のままで運転が開始されることはない。
【００５０】
蓋１２が閉じた状態で運転スイッチがＯＮされると、駆動モータ３６が起動する。そして、駆動モータ３６の駆動力が駆動チェーン３４を介して回転軸３２に伝動され、円板３１及び攪拌部材５５が回転する。
【００５１】
円板３１が回転すると、回転刃４１は固定刃４２と交差した状態で周回移動する。この際、回転刃４１と固定刃４２との交差角度θは連続的に変化し、増加又は減少を繰り返していく。
【００５２】
投入筒１１から導入された生ごみは、重力によって落下し、始めに、円板３１上の固定刃４２の内側領域に導入される。そして、生ごみは、回転刃４１及び固定刃４２によって粉砕される。ここで、回転刃４１は固定刃４２と交差しながら周回していくので、生ごみは、特に回転刃４１と固定刃４２との交差部分において、はさみで切り取られるように細かく粉砕される。
【００５３】
ところで、投入された生ごみに、金属等の粉砕困難物が混入している場合がある。しかしながら、本実施形態では、回転刃４１と固定刃４２とが常に交差しているので、粉砕困難物は回転刃４１と固定刃４２との間にかみ込まれず、固定刃４２の内側領域内において、両刃４１，４２の交差部分に沿って周回移動を繰り返す。
【００５４】
固定刃４２の内側領域で粉砕された生ごみは、固定刃４２と円板３１との隙間を通じて、固定刃４２の外側領域に移動する。そして、固定刃４２の外側領域に移動した生ごみは、回転刃４１と固定刃４３とによって更に細かく粉砕される。すなわち、回転刃４１が固定刃４３とすれ違う際に、回転刃４１と固定刃４３との間に位置する生ごみは、これらの刃４１，４３によって剪断される。
【００５５】
そして、粉砕後の生ごみは、円板３１の外周側に移動し、排出口５１を通じて排出される。なお、ケーシング２８は排出口５１が最も低い位置になるように傾斜しているので、ケーシング２８内の生ごみは、重力によって排出口５１側に移動しやすい。ケーシング２８内の生ごみの一部は円板３１の裏側に移動するが、これら生ごみは、補助板４４とケーシング２８の内周面又は底面とのすれ違いにより剪断され、また、補助板４４によって円板３１の外周側に押し出され、排出口５１から排出される。
【００５６】
ところで、投入された生ごみに粉砕困難物が混入していた場合、運転中に異音が発生することが多い。上述したように、本実施形態では、粉砕困難物は、粉砕されずに固定刃４２の内側領域に留まる。そこで、運転中に異音が発生した場合には、粉砕困難物が混じっていると判断し、運転を中断し又は運転終了後に、蓋１２を開いて異物を取り出すことが好ましい。
【００５７】
なお、駆動モータ３６の運転中に蓋１２が開かれると、センサ１５からコントローラ６０に信号が送られ、コントローラ６０は駆動モータ３６の運転を中止する。したがって、蓋１２が開かれた状態で上述の粉砕動作が実行されるおそれはない。異音が発生した際に、誤って運転を停止することなく蓋１２を開いた場合であっても、運転は強制的に中止される。そのため、そのまま異物を除去することが可能である。
【００５８】
以上のように、粉砕機１によれば、回転刃４１と固定刃４２との交差部分において、生ごみを効果的に粉砕することができる。回転刃４１と固定刃４２とは常に交差しているので、投入された生ごみに金属等の粉砕困難物が混入していたとしても、粉砕困難物が両刃４１，４２の間にかみ込まれるおそれはない。したがって、回転刃４１及び固定刃４２の破損を防止することができる。また、本粉砕機１によれば、破砕困難物がかみ込まれることによる運転の中断も起こりにくい。
【００５９】
本実施形態によれば、固定刃４２は楕円環状に形成されている。したがって、回転刃４１と固定刃４２との交差角度θを連続的に増減させることができ、生ごみを効果的に粉砕することができる。
【００６０】
また、本実施形態によれば、投入筒１１は鉛直方向に延びている。したがって、上部開口１１ｅから投入された生ごみは、重力によって粉砕室２７に円滑に導入される。また、円板３１は水平面から傾斜しているので、粉砕室２７内の生ごみは、円板３１の傾斜に沿って排出口５１側に移動し、排出口５１から円滑に排出される。
【００６１】
さらに、本実施形態によれば、ケーシング２８の内周面に、回転刃４１とすれ違う固定刃４３が設けられている。そのため、回転刃４１及び固定刃４２によって粉砕した生ごみを、回転刃４１及び固定刃４３によって更に細かく粉砕することができる。
【００６２】
また、本実施形態によれば、円板３１の裏側に補助板４４が設けられている。そのため、円板３１の裏側に移動した生ごみを剪断して更に粉砕することができ、また、排出口５１に押し出すことができる。
【００６３】
また、本実施形態によれば、投入筒１１の内部には、回転軸３２と共に回転する攪拌部材５５が設けられている。そのため、投入された生ごみは攪拌部材５５によって攪拌される。したがって、投入筒１１の内部で生ごみが閉塞することが防止される。
【００６４】
本実施形態の粉砕機１は、蓋１２の開閉状態を検知するセンサ１５を備えている。また、粉砕機１は、蓋１２が開かれると駆動モータ３６を停止させるコントローラ６０を備えている。したがって、蓋１２が開いた状態のままで運転されることがないので、安全性を向上させることができる。特に、粉砕困難物を取り除く際に、運転スイッチをＯＦＦすることなく蓋１２を開いたとしても、駆動モータ３６は強制停止するので、安全性を損なうおそれはない。
【００６５】
上記実施形態では、投入筒１１は鉛直方向に延びていた。しかしながら、投入筒１１を鉛直方向から傾斜させることも可能である。例えば、図６に示すように、投入筒１１を鉛直方向から傾斜させ、ケーシング２８を横向きに設置してもよい。この場合、排出口５１は下向きに形成され、円板３１（図６では図示せず）は鉛直面内で回転することになる。
【００６６】
このように投入筒１１を傾斜させることにより、生ごみを投入しやすくなる。
【００６７】
＜実施形態２＞
図７及び図８に示すように、実施形態２に係る粉砕機１は、実施形態１の固定刃４３に代えて櫛刃状の固定刃４５を備えたものである。
【００６８】
櫛刃状の固定刃４５は円環状で切れ目がなく、ケーシング２８の内周面に沿って取り付けられている。固定刃４５は、回転刃４１及び補助板４４の外側端の回転軌跡Ｍよりも外側に配置され、回転刃４１及び補助板４４と固定刃４５とが接触しないように、固定刃４５の内側端と回転刃４１及び補助板４４の外側端との間には若干の隙間が形成されている。図７に示すように、櫛刃状の固定刃４５の厚み（軸方向長さ）は回転刃４１及び補助板４４の厚みよりも大きくなっている。したがって、円板３１の回転にしたがって、回転刃４１は固定刃４５の上部の横をすれ違い、補助板４４は固定刃４５の下部の横をすれ違うこととなる。なお、固定刃４５には、円周方向に沿って所定間隔毎に複数の刃部が形成されているので、回転刃４１及び補助板４４は、絶えず固定刃４５の刃部とすれ違うことになる。
【００６９】
その他の構成は実施形態１と同様であるので、それらの説明は省略する。
【００７０】
このような構成により、固定刃４２の内側領域で粉砕され、固定刃４２と円板３１との隙間を通じて固定刃４２の外側領域に移動した生ごみは、回転刃４１と固定刃４５とによって更に細かく粉砕される。すなわち、回転刃４１が固定刃４５とすれ違う際に、回転刃４１と固定刃４５との間に位置する生ごみは、これらの刃４１，４５によって剪断される。
【００７１】
粉砕後の生ごみは、遠心力により円板３１の外周側へ移動し、重力及びケーシング２８の傾斜によりさらに排出口５１側へと移動するが、その一部は円板３１の裏側に移動する。円板３１の裏側に移動した生ごみは、補助板４４と固定刃４５とによって更に細かく粉砕される。すなわち、補助板４４が固定刃４５とすれ違う際に、補助板４４と固定刃４５との間に位置する生ごみは、補助板４４及び固定刃４５によって剪断される。
【００７２】
したがって、本実施形態によれば、回転刃４１及び固定刃４２によって粉砕した生ごみを、回転刃４１及び櫛刃状の固定刃４５によって更に細かく粉砕することができる。
【００７３】
また、本実施形態によれば、回転刃４１及び固定刃４２によって粉砕されて円板３１の裏側に移動した生ごみについても、補助板４４及び櫛刃状の固定刃４５によって更に細かく粉砕することができる。
【産業上の利用可能性】
【００７４】
以上説明したように、本発明は、生ごみを粉砕する粉砕機について有用である。
【図面の簡単な説明】
【００７５】
【図１】粉砕機の側面図である。
【図２】粉砕機の内部構造を示す部分平面図である。
【図３】図１の矢視Ａ方向から見た図２のIII−III線部分断面図である。
【図４】攪拌部材の斜視図である。
【図５】（ａ）は攪拌部材の変形例の側面図、（ｂ）は同変形例の斜視図である。
【図６】粉砕機の変形例の側面図である。
【図７】実施形態２に係る破砕機の一部を切り欠いた部分断面図である。
【図８】実施形態２に係る破砕機の櫛刃状の固定刃の斜視図である。
【図９】従来の粉砕機の内部構造を示す平面図である。
【符号の説明】
【００７６】
１１    投入筒（筒状体）
１１ｅ  上部開口（投入口）
１１ｆ  下部開口（導出口）
１２    蓋
１５    センサ（開閉検出器）
２１    天板
２４    底板
２５    胴部
２８    ケーシング
３１    円板（対向板）
３６    駆動モータ（回転機構）
４１    回転刃（第１粉砕刃）
４２    固定刃（第２粉砕刃）
４３    固定刃（第１補助刃）
４４    回転刃（第２補助刃）
５５    攪拌部材
６０    コントローラ（制御装置）
θ      交差角度
【図１】
2006122818.tif 000003
【図２】
2006122818.tif 000004
【図３】
2006122818.tif 000005
【図４】
2006122818.tif 000006
【図５】
2006122818.tif 000007
【図６】
2006122818.tif 000008
【図７】
2006122818.tif 000009
【図８】
2006122818.tif 000010
【図９】
2006122818.tif 000011